(57)【特許請求の範囲】
【請求項１】
所定方向に沿って配置され、前記所定方向と交差する交差方向において互いに間隔を空けて配置されたアルミニウム製の複数の骨材と、
前記複数の骨材のうちの互いに隣り合う２本の骨材に架け渡される屋根部材と、前記骨材の上に固定され当該骨材とともに前記屋根部材の端部を収容し前記交差方向に窪む収容部を形成する上固定部材と、
前記骨材及び前記上固定部材に各々設けられた嵌合部に嵌合されて前記屋根部材との間に介在され、前記所定方向に沿って配置される合成樹脂製のビードと、を有し、
前記ビードは、前記嵌合部に嵌合される嵌合片と、前記嵌合片と連結され前記屋根部材に当接される当接部と、を有し、
前記嵌合部は、前記交差方向において前記嵌合片の両側にて突出する２つの突出片と、前記２つの突出片の先端にて互いに対向する方向に延出されて前記嵌合片と前記当接部との間に入り込む延出片と、を有し、
前記骨材の前記延出片における前記屋根部材側の部位に前記屋根部材の厚み方向に突出して前記当接部を押圧する突部を有していることを特徴とする屋根ユニット。
【請求項２】
請求項１に記載の屋根ユニットであって、
前記ビードは、前記交差方向における中央にて、前記嵌合片と前記当接部とを、互いに連結する連結部を有し、
前記突部は、前記骨材が有する前記２つの突出片のうちの前記収容部の奥側に位置する前記突出片の先端から延出されている前記延出片、または、前記骨材に嵌合されたビードにおいて前記当接部の前記連結部より前記収容部の奥側に位置する部位に設けられていることを特徴とする屋根ユニット。
【発明の詳細な説明】
【技術分野】
【０００１】
本発明は、屋根ユニットに関する。
【背景技術】
【０００２】
屋根ユニットとしては、例えば、テラス等に立設された柱に支持されるテラス用の屋根が知られている。屋根は、外壁に装設される垂木掛け部材と、外壁から離れて垂木掛け部材と平行に横架される前枠部材と、垂木掛け部材と前枠部材との両端部間に掛装される両側の妻垂木部材と、両側の妻垂木部材の間に互いに間隔を空けて配置され、垂木掛け部材と前枠部材との間に掛装される複数本の中間垂木部材と、垂木掛け部材、前枠部材、妻垂木部材および中間垂木部材で形成される枠内空間 または同様に垂木掛け部材、前枠部材及び隣り合う２本の中間垂木部材で形成される枠内空間に配設される屋根部材とから構成されている。
【０００３】
妻垂木部材と中間垂木部材との間または隣り合う中間垂木部材同士の間に架け渡されている屋根部材は、妻垂木部材上及び中間垂木部材上に配置された端部が、妻垂木部材及び中間垂木部材の上に取り付けられる屋根押え部材との間にてビード材を介して押さえられている。
【先行技術文献】
【特許文献】
【０００４】
【特許文献１】特開２００５−２５６５５４号公報
【発明の概要】
【発明が解決しようとする課題】
【０００５】
上記のような屋根の屋根部材は、妻垂木部材上及び中間垂木部材上に配置された端部が、妻垂木部材及び中間垂木部材の上に取り付けられる屋根押え部材との間にビード材を介して押さえられているだけなので、例えば、強風が屋根部材の下に吹き込むと、屋根部材が上方に膨らむように撓みつつ持ち上げられ、妻垂木部材及び中間垂木部材と屋根押え部材との間から抜け出て外れてしまう虞がある。
本発明は、かかる課題に鑑みてなされたものであり、その目的とするところは、強風などに煽られても屋根部材が外れ難い屋根ユニットを提供することにある。
【課題を解決するための手段】
【０００６】
かかる目的を達成するために本発明の屋根ユニットは、所定方向に沿って配置され、前記所定方向と交差する交差方向において互いに間隔を空けて配置されたアルミニウム製の複数の骨材と、前記複数の骨材のうちの互いに隣り合う２本の骨材に架け渡される屋根部材と、前記骨材の上に固定され当該骨材とともに前記屋根部材の端部を収容し前記交差方向に窪む収容部を形成する上固定部材と、前記骨材及び前記上固定部材に各々設けられた嵌合部に嵌合されて前記屋根部材との間に介在され、前記所定方向に沿って配置される合成樹脂製のビードと、を有し、前記ビードは、前記嵌合部に嵌合される嵌合片と、前記嵌合片と連結され前記屋根部材に当接される当接部と、を有し、前記嵌合部は、前記交差方向において前記嵌合片の両側にて突出する２つの突出片と、前記２つの突出片の先端にて互いに対向する方向に延出されて前記嵌合片と前記当接部との間に入り込む延出片と、を有し、前記骨材の前記延出片における前記屋根部材側の部位に前記屋根部材の厚み方向に突出して前記当接部を押圧する突部を有していることを特徴とする屋根ユニットである。
【０００７】
このような屋根ユニットによれば、延出片における屋根部材側の部位が突部を有している場合には、骨材と上固定部材との間に配置された屋根部材の端部が、当接部において突部により押圧されている部位が、また、当接部が突部を有している場合には、当接部において突部が設けられている部位が、より大きく圧縮される。このため、突部を有していない状態で、当接部が屋根部材に当接される場合より大きな押圧力により、屋根部材を骨材と上固定部材との間に挟持することが可能である。このため、強風などに煽られても屋根部材が外れ難い屋根ユニットを提供することが可能である。
【０００８】
かかる屋根ユニットであって、前記ビードは、前記交差方向における中央にて、前記嵌合片と前記当接部とを、互いに連結する連結部を有し、前記突部は、前記骨材が有する前記２つの突出片のうちの前記収容部の奥側に位置する前記突出片の先端から延出されている前記延出片、または、前記骨材に嵌合されたビードにおいて前記当接部の前記連結部より前記収容部の奥側に位置する部位に設けられていることが望ましい。
【０００９】
このような屋根ユニットによれば、突部は、収容部に収容されている屋根部材の端部において、屋根部材のより縁側に当接される。そして、屋根部材が強風に煽られて、上方に膨らむように撓みつつ持ち上げられると、屋根部材のより縁側において下面に突部が当接されて屋根部材の端部が下方に移動し難くなり、屋根部材の撓みが抑えられるとともにより強い押圧力により保持される。これにより、屋根部材が骨材と上固定部材との間から抜け出て外れてしまうことを抑制することが可能である。
【００１０】
かかる屋根ユニットであって、前記突部は前記延出片に設けられていることが望ましい。
このような屋根ユニットによれば、突部が、ビードより剛性が高い延出片に設けられているの、精度が高い突部を設けることが可能であり、より適切な押圧力にて屋根部材を押圧して保持することが可能である。また、経時による変形等が小さいので品質を担保することが容易である。
【００１１】
かかる屋根ユニットであって、前記突部は前記当接部に設けられていることとしてもよい。
このような屋根ユニットによれば、ビードは単純な形状をなしているとともに加工が容易なので、突部の形状をより適切な押圧力が得られる形状に作り込むことが容易である。
【発明の効果】
【００１２】
本発明によれば、強風などに煽られても屋根部材が外れ難い屋根ユニットを提供することが可能である。
【図面の簡単な説明】
【００１３】
【図１】本実施形態に係る屋根ユニットを示す正面図である。
【図２】本実施形態に係る屋根ユニットを示す側面図である。
【図３】屋根を正面から見た縦断面図である。
【図４】図４（ａ）は、屋根押さえ部材側にも突部が設けられている例を示す図であり、図４（ｂ）は、ビードの当接部において屋根材と反対側に突部が設けられている例を示す図であり、図４（ｃ）は、ビードの当接部において屋根材と反対側に突部が設けられている例を示す図である。
【発明を実施するための形態】
【００１４】
以下、本発明の一実施形態に係る屋根ユニットについて図面を参照して説明する。
本実施形態の屋根ユニット１は、図１、図２に示すように、例えば、一端が建物２の外壁２ａに固定される屋根１０と、屋根１０の他端側を支持する支柱３とを備え、建物２に併設されるテラス等に設けられる屋根ユニット１である。
【００１５】
以下の説明においては、施工された屋根ユニット１を建物２に向かって見たときに、上下となる方向を上下方向、左右となり建物２の外壁２ａに沿う方向を幅方向、建物２側と反建物側に向かう方向を見込み方向として示す。屋根ユニット１の各部位であっても、また、屋根ユニット１を構成する各部材については単体の状態であっても、施工後の屋根ユニット１の状態にて上下方向、幅方向、見込み方向となる方向にて方向を特定して説明する。ここで、幅方向が所定方向に相当し、見込み方向が、所定方向と交差する交差方向に相当する。
【００１６】
本実施形態の屋根１０は、建物２の外壁２ａに固定される垂木掛け１１と、垂木掛け１１と見込み方向に間隔を空けて配置される前枠１２と、垂木掛け１１と前枠１２との端部間を各々連結する左右の側枠１３と、左右の側枠１３の間であって幅方向において互いに間隔を空けて垂木掛け１１と前枠１２とを連結する複数の垂木１４と、隣り合う垂木１４間及び側枠１３と垂木１４との間に掛け渡される屋根部材１５と、垂木１４上に固定されて屋根部材１５を上から押さえる上固定部材としての屋根押さえ材１６、１７と、を有している。ここで、左右の側枠１３及び垂木１４が骨材に相当し、左右の側枠１３及び垂木１４が沿う見込み方向が所定方向に相当し、見込み方向と交差する幅方向が交差方向に相当する。
【００１７】
屋根部材１５は、ポリカーボネートなどの合成樹脂製の矩形状をなす板材であり、図３に示すように、幅方向における両端部は、掛け渡されている垂木１４同士または側枠１３と垂木１４との上に各々載置され、垂木１４同及び側枠１３の上に固定される屋根押さえ材１６、１７により挟持されている。
【００１８】
左右の側枠１３は、互いに左右が反転した対称形状をなしている。ここでは左側の側枠１３を例に挙げて説明する。左の側枠１３は、見込み方向に連通する中空部を有する例えばアルミニウム製の押出成形部材であり、側枠１３の上には屋根押さえ材１６がビス止めされている。側枠１３の上部は、幅方向におけるほぼ中央から左側が平坦な側枠上面部１３ａをなし、右側が側枠上面部１３ａより下方に窪む側枠凹部１３ｂをなしている。
【００１９】
屋根押さえ材１６は、側枠１３の見込み方向に沿って全長に渡って設けられるほぼ板状の部材であり、左側の部位が、側枠上面部１３ａにビス止めされて、側枠凹部１３ｂの上方に張り出している。このため、側枠１３に屋根押さえ材１６がビス止めされた状態では、幅方向における屋根１０の中央側が開放されて屋根１０の端部側に窪み、屋根部材１５の端部が収容される側枠収容部１０ａが形成されている。
【００２０】
側枠収容部１０ａを形成する側枠１３の側枠凹部１３ｂと屋根押さえ材１６における側枠収容部１０ａの開放側の端部には、各々見込み方向に沿って設けられるビード１８が嵌合される嵌合部１３ｃ、１６ａが設けられている。嵌合部１３ｃ、１６ａは、側枠凹部１３ｂおよび屋根押さえ材１６の開放側の端部と、当該開放側の端部より側枠収容部１０ａの奥側に、開放側の端部と適宜間隔を空けた位置とに平行に設けられ、側枠凹部１３ｂと屋根押さえ材１６とが対向する方向に突出された２つの突出片１３ｄ、１６ｂと、２つの突出片１３ｄ、１６ｂの先端にて当該２つの突出片１３ｄ、１６ｂが互いに対向する側に延出された延出片１３ｅ、１６ｃと、を有している。側枠凹部１３ｂ及び屋根押さえ材１６が各々備える２つの突出片１３ｄ、１６ｂに設けられた延出片１３ｅ、１６ｃ同士の先端は、幅方向に間隔が空けられてスリット１３ｆ、１６ｄを形成している。
【００２１】
側枠１３に設けられた嵌合部１３ｃを構成する２つの延出片１３ｅのうちの、側枠収容部１０ａの奥側に位置する延出片１３ｅには、上方に突出する突部１３ｇが設けられている。
【００２２】
垂木１４は、見込み方向に連通する中空部を有する例えばアルミニウム製の押出成形部材であり、幅方向における中央を通る仮想線に対して線対称の形状をなし、垂木１４の上に屋根押さえ材１７がビス止めされている。垂木１４の上部は、幅方向におけるほぼ中央の部位が平坦な垂木上面部１４ａをなし、垂木上面部１４ａの左右の部位は垂木上面部１４ａより下方に窪む垂木凹部１４ｂをなしている。
【００２３】
屋根押さえ材１７は、垂木１４の見込み方向に沿って全長に渡って設けられるほぼ板状の部材であり、幅方向における中央の部位が、垂木上面部１４ａにビス止めされて、左右の垂木凹部１４ｂの上方に各々張り出している。このため、垂木１４に屋根押さえ材１７がビス止めされた状態では、幅方向における両側に、両側方に開放されて垂木１４の中央側に各々窪み、屋根部材１５の端部が収容される垂木収容部１０ｂが形成されている。
【００２４】
垂木収容部１０ｂを形成する垂木凹部１４ｂと屋根押さえ材１７における垂木収容部１０ｂの開放側の端部にも、側枠収容部１０ａと同様に、ビード１８が嵌合される嵌合部１４ｃ、１７ａが設けられている。嵌合部１４ｃ、１７ａも２つの突出片１４ｄ、１７ｂと、２つの突出片１４ｄ、１７ｂの先端に幅方向において互いに対向する側に延出された延出片１４ｅ、１７ｃと、を有し、延出片１４ｅ、１７ｃの先端は、幅方向に間隔が空けられてスリット１４ｆ、１７ｄを形成している。垂木１４に設けられた嵌合部１４ｃを構成する２つの延出片１４ｅのうちの、垂木収容部１０ｂの奥側に位置する延出片１４ｅには、上方に突出する突部１４ｇが設けられている。
【００２５】
ビード１８は、弾性を有する軟質の合成樹脂にて形成されており、側枠１３、垂木１４及び屋根押さえ材１６、１７に設けられた嵌合部１３ｃ、１４ｃ、１６ａ、１７ａに嵌合される嵌合片１８ａと、嵌合部１３ｃ、１４ｃ、１６ａ、１７ａより外側に配置されて屋根部材１５に当接される当接部１８ｂと、嵌合片１８ａと当接部１８ｂとを連結している連結部１８ｃとを有している。連結部１８ｃは、嵌合片１８ａ及び当接部１８ｂの幅より狭く形成されており、嵌合片１８ａ及び当接部１８ｂの幅方向における中央にて嵌合片１８ａと当接部１８ｂとが連結部１８ｃにより連結されている。また、ビード１８が嵌合された状態で、嵌合部１３ｃ、１４ｃ、１６ａ、１７ａが有するスリット１３ｆ、１４ｆ、１６ｄ、１７ｄに連結部１８ｃが配置され、各嵌合片１８ａの幅方向における両側に突出片１３ｄ、１４ｄ、１６ｂ、１７ｂが位置している。
【００２６】
側枠１３及び垂木１４と屋根押さえ材１６、１７とにより形成された側枠収容部１０ａ及び垂木収容部１０ｂに屋根部材１５の端部が収容されている状態では、ビード１８の当接部１８ｂが屋根部材１５の上下の面にそれぞれ当接されるとともに圧縮されて屋根部材１５が挟持されている。このとき、側枠収容部１０ａの奥側に位置する延出片１３ｅと垂木収容部１０ｂの奥側に位置する延出片１４ｅとには、上方に突出する突部１３ｇ、１４ｇが設けられているので、突部１３ｇ、１４ｇが当接される部位では屋根部材１５を押圧する押圧力が、突部１３ｇ、１４ｇが設けられていない延出片１３ｅ、１４ｅより大きくなっている。
【００２７】
そして、強風などにより屋根部材１５が下から煽られた場合には、隣り合う側枠１３と垂木１４との間、及び、隣り合う垂木１４同士の間が上方に膨らむように湾曲して屋根部材１５が変形し、屋根部材１５の端部は、屋根部材１５の変形により下方に移動する。このとき、屋根部材１５の端部の下面に当接するビード１８の当接部１８ｂは、延出片１３ｅ、１４ｅに設けられている突部１３ｇ、１４ｇにより強く押圧されているので屋根部材１５の上方に膨らむように湾曲する変形が抑制される。
【００２８】
本実施形態の屋根ユニット１によれば、延出片１３ｅ、１４ｅにおける屋根部材１５側の部位に屋根部材１５の厚み方向に突出する突部１３ｇ、１４ｇを有しているので、当接部１８ｂの、突部１３ｇ、１４ｇにより押圧されて盛り上がった部位が屋根部材１５に当接される。このため、突部１３ｇ、１４ｇを有していない状態で、当接部１８ｂが屋根部材１５に当接される場合より大きな押圧力により、側枠１３及び垂木１４と屋根押さえ材１６、１７との間に屋根部材１５を挟持することが可能である。このため、強風などに煽られても屋根部材１５が外れ難い屋根ユニット１を提供することが可能である。
【００２９】
本実施形態の突部１３ｇ、１４ｇは、２つの突出片１３ｄ、１４ｄのうちの側枠収容部１０ａ及び垂木収容部１０ｂの奥側に位置する突出片１３ｄ、１４ｄの先端から延出されている延出片１３ｅ、１４ｅに設けられているので、側枠収容部１０ａ及び垂木収容部１０ｂに収容されている屋根部材１５の端部において、より縁側に当接される。このため、屋根部材１５が強風に煽られ、上方に膨らむように撓みつつ持ち上げられる場合であっても、屋根部材１５のより縁側において、下面に突部１３ｇ、１４ｇが当接されているので、屋根部材１５の端部が下方に移動し難くなり、屋根部材１５の撓みが抑えられるとともにより強い押圧力により保持される。これにより、屋根部材１５が側枠１３及び垂木１４と屋根押さえ材１６、１７との間から抜け出て外れてしまうことを抑制することが可能である。
【００３０】
また、突部１３ｇ、１４ｇは、ビード１８より剛性が高いアルミニウム製の側枠１３及び垂木１４の延出片１３ｅ、１４ｅに設けられているので、精度が高い突部１３ｇ、１４ｇを設けることが可能であり、より適切な押圧力にて屋根部材１５を押圧して保持することが可能である。また、アルミニウムは、合成樹脂より経時による変化が小さいので品質を担保することが容易である。
【００３１】
上記実施形態においては、突部１３ｇ、１４ｇを、側枠１３及び垂木１４の、側枠収容部１０ａ及び垂木収容部１０ｂの奥側に位置する延出片１３ｅ、１４ｅのみに設けた例について説明したが、これに限るものではない。例えば、図４（ａ）に示すように、側枠収容部１０ａ及び垂木収容部１０ｂの奥側に位置する延出片１３ｅ、１４ｅとともに、屋根押さえ材１６、１７の、側枠収容部１０ａ及び垂木収容部１０ｂの開放された端側に位置する延出片延出片１６ｃ、１７ｃにも突部１６ｅ、１７ｅが設けられていてもよい。
【００３２】
この場合には、屋根部材１５が強風に煽られ、上方に膨らむように撓みつつ持ち上げられたときに、屋根部材１５の端部の下面に、突部１３ｇ、１４ｇが当接されるとともに、屋根部材１５の端部より中央側において、屋根部材１５の上面に、屋根押さえ材１６、１７の突部１６ｅ、１７ｅが当接されるので、屋根部材１５の撓みがより抑えられることにより、屋根部材１５が側枠１３及び垂木１４と屋根押さえ材１６、１７との間から抜け出て外れてしまうことをより抑制することが可能である。
【００３３】
また、上記実施形態においては、突部１３ｇ、１４ｇ、１６ｅ、１７ｅを側枠１３、垂木１４、及び、屋根押さえ材１６、１７に設けた例について説明したが、この限りではない。例えば、図４（ｂ）、図４（ｃ）に示すように、側枠１３及び垂木１４に設けられたビード１８における当接部１８ｂの、側枠収容部１０ａ及び垂木収容部１０ｂの奥側に位置する部位、及び、屋根押さえ材１６、１７に設けられたビード１８における当接部１８ｂの、側枠収容部１０ａ及び垂木収容部１０ｂの開放端側に位置する部位に突部１８ｄが設けられていても構わない。図４（ｂ）、図４（ｃ）においては、屋根部材１５が保持されている状態ではビード１８の形状が見え難いため、ビード１８が圧縮されていない状態を示し、屋根部材１５を仮想線にて示している。
【００３４】
この場合には、屋根部材１５が強風に煽られ、上方に膨らむように撓みつつ持ち上げられたときに、突部１８ｄが設けられている部位は当接部１８ｂの他の部位より大きく圧縮され、突部１８ｄが当接されている部位を押圧する押圧力が大きくなる。このため、屋根部材１５の撓みが抑えられることにより、屋根部材１５が側枠１３及び垂木１４と屋根押さえ材１６、１７との間から抜け出て外れてしまうことを抑制することが可能である。このとき、当接部１８ｂに設けられる突部１８ｄが突出する方向は、当接部１８ｂの屋根部材１５と対面する側であっても、屋根部材１５の反対側で会っても構わない。またビード１８の突部１８ｄは、当接部１８ｂの、側枠収容部１０ａ及び垂木収容部１０ｂの奥側に位置する部位にだけ設けられていても構わない。
【００３５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３６】
１  屋根ユニット、１０  屋根、１０ａ  側枠収容部、１０ｂ  垂木収容部、
１３  側枠、１３ｃ  嵌合部、１３ｅ  延出片、１３ｇ  突部、１４  垂木、
１４ｃ  嵌合部、１４ｅ  延出片、１４ｇ  突部、１５  屋根部材、
１６  屋根押さえ材、１６ａ  嵌合部、１６ｃ  延出片、１６ｅ  突部、
１７  屋根押さえ材、１７ａ  嵌合部、１７ｃ  延出片、１７ｅ  突部、１８  ビード、１８ａ  嵌合片、１８ｂ  当接部、
１８ｃ  連結部、１８ｄ  突部
【図１】
0006670520.tif 000002
【図２】
0006670520.tif 000003
【図３】
0006670520.tif 000004
【図４】
0006670520.tif 000005